(57)【要約】  【課題】  データ処理装置から分離可能なリムーバブルハードディスクにおいて、その小型化、軽量化およびコストダウンを実現したリムーバブルハードディスクを提供する。  【解決手段】  リムーバブルハードディスクから、メインプリント基板、あるいは、マグネットやバックヨークを削除して、データ処理装置側に取り付け、コネクタ接続を行うことにより、ボイスコイルモータに加わる磁束密度の自由度を広げるとともに、その小型化、軽量化および可搬性を向上させる。  【選択図】  図１
2005050445.tif 000002
【特許請求の範囲】
【請求項１】
情報データを記録した磁気ディスクと、一端に磁気ヘッドを有し他端にボイスコイルを有して前記磁気ヘッドを前記磁気ディスク上を回動させるロードアームと、前記磁気ディスクを回転させるスピンドルモータとを非磁性体により形成された筐体内に配置して、前記情報データを処理可能なデータ処理装置より挿脱可能なリムーバブルハードディスクとして構成し、
前記ボイスコイルを回動させるためのボイスコイル用磁気構成部品を、前記リムーバブルハードディスクに配置する代わりに、前記データ処理装置側に配置したことを特徴とするリムーバブルハードディスクシステム。
【請求項２】
情報データを記録した磁気ディスクと、一端に磁気ヘッドを有し他端にボイスコイルを有して前記磁気ヘッドを前記磁気ディスク上を回動させるロードアームと、前記磁気ディスクを回転させるスピンドルモータとを非磁性体により形成された筐体内に配置して、前記情報データを処理可能なデータ処理装置より挿脱可能なリムーバブルハードディスクとして構成し、
磁気記録情報の授受や機構の制御を行なう回路部を含むメインプリント基板とを、前記リムーバブルハードディスクに配置する代わりに、前記データ処理装置側に配置したことを特徴とするリムーバブルハードディスクシステム。
【請求項３】
請求項１あるいは請求項２に記載のリムーバブルハードディスクであって、前記ボイスコイルモータの回動部分に対応する一部分を、前記磁気ディスクの回転軸方向の厚みに対して、本来搭載すべきボイスコイルモータ用磁気構成部品の厚み分以上、薄く構成したことを特徴とするリムーバブルハードディスク。
【請求項４】
請求項１ないし請求項３に記載のリムーバブルハードディスクシステムであって、前記リムーバブルハードディスクと、前記データ処理装置とは、コネクタを用いて接続され、前記コネクタは、前記磁気ディスクの回転軸方向の厚みの範囲に収納し、かつ、前記ボイスコイルと反対の側面方向の位置に配置し、
前記リムーバブルハードディスクの前記データ処理装置への両装着側面に、前記コネクタ同士の勘合を誘導するための、それぞれ少なくとも一本の凸状部あるいは凹状部を設け、前記データ処理装置には、前記凸状部あるいは凹状部に対応する凹状部あるいは凸状部を設けて挿脱されることを特徴とするリムーバブルハードディスクシステム。
【発明の詳細な説明】
【技術分野】
【０００１】
本発明は、リムーバルタイプのハードディスク（以下ＨＤＤと称す）において、リムーバルＨＤＤとデータ処理装置である親機側との部品構成に関し、特に磁気記録情報の授受や機構の制御を行なう回路部と磁気ヘッドの位置決めを行なうアクチュエータを動作させるＶＣＭ機構の構成に関する。
【背景技術】
【０００２】
従来のリムーバブルＨＤＤは、複数枚のディスクがディスクパック内の回転軸に積み重ねて取り付けられており、ディスクパック全体が一体となって交換できるディスクパック方式、あるいは、１枚のディスクがカートリッジケースに収納されており、カートリッジケースをハードディスク装置本体に挿脱して交換できるカートリッジディスク方式が主流であった。
【０００３】
ディスクパック方式は、従来のマグネットやバックヨークを含んだハードディスクを専用のリムーバブルケースに組み込み、その装着側の装置には、対応するケースを組み込んで挿脱していた。また、特開平０６−２５９９２９号公報のように、回路部を、当該機構部に固有の制御情報の保持および制御動作を行う第１の構成部と複数種の機構部に共通な制御動作を行う第２の構成部とに分けて、ＨＤＡの構成単位を小さくする開示がある。
【０００４】
また、カートリッジディスク方式は、フロッピー（登録商標）ディスク感覚で携帯可能に構成されていた。
【特許文献１】特開平０６−２５９９２９号公報
【発明の開示】
【発明が解決しようとする課題】
【０００５】
ディスクパック方式では、ボイスコイルを回動させるためのマグネット、バックヨーク、あるいは、情報データの処理、前記スピンドルモータや前記ボイスコイルの制御を行うための回路部を含むプリント基板も含まれているため、小型軽量化、コストダウンに限界があった。
【０００６】
さらに、ＡＴＡ規格等により規定された取り付け構造となっているため、リムーバル用の専用ケースが必要であった。
【０００７】
また、カートリッジディスク方式では、近年の大容量、高速化に対して、ＧＭＲ等種類の異なる磁気ヘッドの形式の変更や、垂直磁気記録やメディアの種類等の変更に対応ができなかった。
【課題を解決するための手段】
【０００８】
前記課題を解決するために、本発明のリムーバルＨＤＤは、リムーバルＨＤＤからメインプリント基板やマグネット、バックヨーク等のボイスコイル用磁気構成部品を切り離して、親機側（ＰＣ本体やＴＶ本体）に取り付ける。
【０００９】
また、近年のＨＤＤ、特にビデオテープレコーダの後継商品であるＡＶ−ＨＤＤにおいては、主として留守録に用い残しておくため、その必要容量も８０ＧＢｔ以上、できる限り大容量であることが望まれている。
【００１０】
さらに、表示するためのディスプレイに於いてもＮＴＳＣ方式やハイビジョン方式等、その再生表示スピードの向上が必要となりつつある。
【００１１】
このような商品は、例えば垂直磁気記録や偏心のあるサーボ信号への追随等、機種により改善の余地を残しているため、もはや共通の制御動作を行う構成部は存在しないのも同然である。
【００１２】
そのため、本発明は、機種単位（シリーズ機種を含む）で、磁気ヘッドやモータ及びその配線用のフレキシブルプリント基板を除く全ての電気部品を親機側へ配置する構成とした。
【発明の効果】
【００１３】
以上のように、本発明によれば、ボイスコイルを回動させるためのマグネット、情報データの処理あるいはスピンドルモータやボイスコイルの制御を行なうためのメインプリント基板をデータ処理装置側に配置することにより、リムーバブルハードディスクを小型軽量化、及びコストダウンできる。
図４に示すようにリムーバブルハードディスクのボイスコイル部分をマグネットがなくなった分だけ薄くすることができる。
今後のハードディスクドライブの大容量化に対して、磁気ヘッド、磁気ディスクの新しい技術が導入される。例えば垂直磁気記録を考えた時、磁気ヘッドと磁気ディスクは１対となって導入されるものであり、本発明のリムーバブルハードディスク（１１）は、磁気ヘッドと磁気ディスクが組み込まれているため、今後の大容量化に対しても対応可能である。
【００１４】
さらに、マグネットを親機側に配置するため、リムーバル化によってボイスコイルとマグネット間の隙間が大きくても、マグネットを充分に大きくできるため、ボイスコイルへ加わる磁束密度は確保でき、ボイスコイルモータに加える磁束密度の自由度を広げることもできる。
【発明を実施するための最良の形態】
【００１５】
本発明の請求項１は、情報データを記録した磁気ディスクと、一端に磁気ヘッドを有し他端にボイスコイルを有して前記磁気ヘッドを前記磁気ディスク上を回動させるロードアームと、前記磁気ディスクを回転させるスピンドルモータとを筐体内に配置して、前記情報データを処理可能なデータ処理装置より挿脱可能なリムーバブルハードディスクとして構成し、
前記ボイスコイルを回動させるためのボイスコイル用磁気構成部品を、前記リムーバブルハードディスクに配置する代わりに、前記データ処理装置側に配置したことを特徴とする。
【００１６】
本発明の請求項２は、情報データを記録した磁気ディスクと、一端に磁気ヘッドを有し他端にボイスコイルを有して前記磁気ヘッドを前記磁気ディスク上を回動させるロードアームと、前記磁気ディスクを回転させるスピンドルモータとを筐体内に配置して、前記情報データを処理可能なデータ処理装置より挿脱可能なリムーバブルハードディスクとして構成し、
磁気記録情報の授受や機構の制御を行なう回路部を含むメインプリント基板とを、前記リムーバブルハードディスクに配置する代わりに、前記データ処理装置側に配置したことを特徴とする。
【００１７】
このような構成により、リムーバブルハードディスクのコストを安価に、また軽量化小型化を実現できる。
【００１８】
以下、本発明の実施例について、添付の図面を参照して説明する。
【実施例１】
【００１９】
図１及び図２に示すように、情報データを記録した磁気ディスク（１）と一端に磁気ヘッド（２）を有し、多端にボイスコイル（３）を有して、前記磁気ヘッドを前記磁気ディスク上にて回動させるロードアーム（４）と、前記磁気ディスクを回転させるスピンドルモータ（９）とを筐体内に配置し、リムーバブルハードディスク（１１）として構成する。
【００２０】
一方で、データ処理装置（１０）には、ボイスコイル（３）を回動させるためのマグネット（６）と情報データの処理、スピンドルとボイスコイルの制御を行なうためのメインプリント基板（７）が取り付けられる。
【００２１】
リムーバブルハードディスク（１１）が、データ処理装置（１０）に挿入された時、ボイスコイル（３）の上下にマグネット（６）が配置される。この時、ボイスコイル（３）とマグネット（６）の間には、筐体（１２）があり、ボイスコイル（３）とマグネット（６）の距離が大きくなって、ボイスコイル（３）にかかる磁束が小さくなる心配があるが、マグネット（６）を充分大きくすれば、磁束は大きくできるので、心配はない。本発明では、マグネット（６）が、リムーバブルハードディスクではなく情報データ処理装置側に配置されているため、マグネット（６）の大きさを気にしなくてもいい。
【００２２】
また、図３に示すように、リムーバルハードディスク（１１）には、コネクタＡ（５）が、リムーバブルハードディスク（１１）の回転軸方向の厚みの範囲内、かつ、ボイスコイル（３）と反対の側面方向の位置に配置され、リムーバブルハードディスク（１１）がデータ処理装置（１０）に挿入された時、リムーバブルハードディスク（１１）に取り付けられたコネクタＡ（５）がデータ処理装置（１０）の中のメインプリント基板（７）に取り付けられたコネクタＢ（８）に勘合し、コネクタを通して磁気ディスク上の情報データの授受や、スピンドルモータ、ボイスコイルの制御を行なう。
【００２３】
次に、図４に示すように、リムーバルハードディスクのデータ処理装置への装着側面には、凹部（１３）を設け、データ処理装置のリムーバルハードディスクが入る側面には凸部（１４）を設けて、リムーバブルハードディスクが挿入される時、凹部（１３）が凸部（１４）に沿う構造であり、コネクタが確実に差し込まれる。
【００２４】
なお、ボイスコイル用磁気構成部品として、マグネット（６）との記載をしたが、マグネットによる磁界を前記磁気作用空間に集中して発生させるためのバックヨークも含まれる場合も考えられる。
【産業上の利用可能性】
【００２５】
課題を解決するために、本発明のリムーバルＨＤＤは、リムーバルＨＤＤからメインプリント基板やマグネット、バックヨーク等のボイスコイル用磁気構成部品を切り離して、親機側（ＰＣ本体やＴＶ本体）に取り付ける。
【００２６】
また、近年のＨＤＤ、特にビデオテープレコーダの後継商品であるＡＶ−ＨＤＤにおいては、主として留守録に用い残しておくため、その必要容量も８０ＧＢｔ以上、できる限り大容量であることが望まれている。
【００２７】
さらに、表示するためのディスプレイに於いてもＮＴＳＣ方式やハイビジョン方式等、その再生表示スピードの向上が必要となりつつある。
【００２８】
このような商品は、例えば垂直磁気記録や偏心のあるサーボ信号への追随等、機種により改善の余地を残しているため、もはや共通の制御動作を行う構成部は存在しないのも同然である。
【００２９】
そのため、本発明は、機種単位（シリーズ機種を含む）で、磁気ヘッドやモータ及びその配線用のフレキシブルプリント基板を除く全ての電気部品を親機側へ配置する構成としたもので、ボイスコイルを回動させるためのマグネット、情報データの処理あるいはスピンドルモータやボイスコイルの制御を行なうためのメインプリント基板をデータ処理装置側に配置することにより、リムーバブルハードディスクを小型軽量化、及びコストダウンできる。
【００３０】
図４に示すようにリムーバブルハードディスクのボイスコイル部分をマグネットがなくなった分だけ薄くすることができる。
今後のハードディスクドライブの大容量化に対して、磁気ヘッド、磁気ディスクの新しい技術が導入される。例えば垂直磁気記録を考えた時、磁気ヘッドと磁気ディスクは１対となって導入されるものであり、本発明のリムーバブルハードディスク（１１）は、磁気ヘッドと磁気ディスクが組み込まれているため、今後の大容量化に対しても対応可能である。
【００３１】
さらに、マグネットを親機側に配置するため、リムーバル化によってボイスコイルとマグネット間の隙間が大きくても、マグネットを充分に大きくできるため、ボイスコイルへ加わる磁束密度は確保でき、ボイスコイルモータに加える磁束密度の自由度を広げることもできる。
【図面の簡単な説明】
【００３２】
【図１】本発明の実施の形態におけるリムーバルハードディスクシステムの平面図
【図２】同リムーバルハードディスクシステムのＡ−Ａ’断面図
【図３】同リムーバルハードディスクシステムのＢ−Ｂ’断面図
【図４】同リムーバルハードディスクシステムの斜視図
【符号の説明】
【００３３】
１  磁気ディスク
２  磁気ヘッド
３  ボイスコイル
４  ロードアーム
５  コネクタＡ
６  マグネット
７  メインプリント基板
８  コネクタＢ
９  スピンドルモータ
１０  データ処理装置
１１  リムーバブルハードディスク
１２  筐体
１３  凹部
１４  凸部
【図１】
2005050445.tif 000003
【図２】
2005050445.tif 000004
【図３】
2005050445.tif 000005
【図４】
2005050445.tif 000006